(57)【要約】【課題】本発明は、ステープルにテープを繰り出す機能が付加された結束機本体の操作部を遠隔で操作可能にすることを解決課題とする。【解決手段】本発明の高枝用結束機は、ステープルにテープを繰り出す機能が付加された結束機本体をポールの先端側に固定すると共に、高枝の周囲に掛け回されて重なり合ったテープの重なり部分をドライバハンドルのステープルマガジンとクリンチャアームのクリンチャとで挟持する第１の動作を行うための第１の把手と、当該重なり部分をステープルで綴じる第２の動作を行うための第２の把手とが設けられており、各把手が当該結束機本体の操作部に連結されている。【選択図】図１
2016124593.tif 000002
【特許請求の範囲】
【請求項１】
ステープラのドライバハンドルとクリンチャアームとの間に架け渡したテープを高枝の周囲に掛け回した状態で前記ステープラの操作部を一方向に動かすと、前記ドライバハンドルと前記クリンチャアームとを閉じ合わせることにより、前記高枝の周囲に掛け回されて重なり合ったテープの重なり部分を前記ドライバハンドルのステープルマガジンと前記クリンチャアームのクリンチャとで挟持する第１の動作と、前記重なり部分をステープルで綴じる第２の動作とを、前記操作部の動きに連動して連続的に行う園芸用の結束機本体と、
細長い棒状の部材であり、一端に前記結束機本体を固定したポールと、
前記ポールの両端のうち前記結束機本体が固定されている側の反対側に設けられており、作業者が両手のうち何れか一方の手で把持して前記ポールを支えるための第１支持部と、
前記第１支持部から所定の間隔を空けて前記ポールに設けられており、前記作業者が前記両手のうち前記第１支持部を把持する手とは異なる他方の手で把持して前記ポールを支えるための第２支持部と、を備え、
前記第１支持部は、前記操作部に連結される操作用の把手であって、前記操作部の可動領域のうち少なくとも前記第１の動作が行われる可動領域における前記操作部の操作を司る第１の把手を有し、
前記第２支持部は、前記操作部に連結される操作用の把手であって、前記操作部の可動領域のうち少なくとも前記第２の動作が行われる可動領域における前記操作部の操作を司る第２の把手を有する、
高枝用結束機。
【請求項２】
前記第１支持部は、前記第１の把手の隣に配置されており、前記ポールに固定される固定把手を有する、
請求項１に記載の高枝用結束機。
【請求項３】
前記操作部は、レバーであり、
前記第２の把手は、前記レバーの先端側に連結されており、
前記第１の把手は、前記レバーの支点側に連結されている、
請求項１または２に記載の高枝用結束機。
【請求項４】
前記第１の把手は、棒状のロッドおよびワイヤーのうち少なくとも何れかを介して前記操作部に連結されている、
請求項１から３の何れか一項に記載の高枝用結束機。
【請求項５】
前記第２の把手は、棒状のロッドおよびワイヤーのうち少なくとも何れかを介して前記操作部に連結されている、
請求項１から４の何れか一項に記載の高枝用結束機。
【請求項６】
前記第２の把手は、支点と力点との間の距離が前記第１の把手の支点と力点との間の距離よりも長い、
請求項１から５の何れか一項に記載の高枝用結束機。
【請求項７】
ステープラのドライバハンドルとクリンチャアームとの間に架け渡したテープを高枝の周囲に掛け回した状態で前記ステープラの操作部を一方向に動かすと、前記ドライバハンドルと前記クリンチャアームとを閉じ合わせることにより、前記高枝の周囲に掛け回されて重なり合ったテープの重なり部分を前記ドライバハンドルのステープルマガジンと前記クリンチャアームのクリンチャとで挟持する第１の動作と、前記重なり部分をステープル
で綴じる第２の動作とを、前記操作部の動きに連動して連続的に行う園芸用の結束機の補助具であって、
細長い棒状の部材であり、一端に前記結束機が固定されるポールと、
前記ポールの両端のうち前記結束機が固定される側の反対側に設けられており、作業者が両手のうち何れか一方の手で把持して前記ポールを支えるための第１支持部と、
前記第１支持部から所定の間隔を空けて前記ポールに設けられており、前記作業者が前記両手のうち前記第１支持部を把持する手とは異なる他方の手で把持して前記ポールを支えるための第２支持部と、を備え、
前記第１支持部は、前記操作部に連結される操作用の把手であって、前記操作部の可動領域のうち少なくとも前記第１の動作が行われる可動領域における前記操作部の操作を司る第１の把手を有し、
前記第２支持部は、前記操作部に連結される操作用の把手であって、前記操作部の可動領域のうち少なくとも前記第２の動作が行われる可動領域における前記操作部の操作を司る第２の把手を有する、
結束機の補助具。
【発明の詳細な説明】
【技術分野】
【０００１】
本発明は、高所にある木の枝を結束する園芸用の結束機に関するものである。
【背景技術】
【０００２】
木の枝や蔓性植物の蔓を支柱や棚に結束する園芸用の結束機としては、例えば、下記の特許文献１に開示されているような、ステープルのドライバハンドルとクリンチャアームとの間に架け渡したテープを被結束物に掛け回した状態でハンドルを握ると、被結束物に掛け回されたテープがステープルによって綴じ合わされる園芸用の結束機が知られている。
【先行技術文献】
【特許文献】
【０００３】
【特許文献１】特開２００３−３４１６１３号公報
【発明の概要】
【発明が解決しようとする課題】
【０００４】
高所にある木の枝を支柱や棚に結束したい場合、例えば、作業者が脚立で高所に上がり、上述した園芸用の結束機等を使うことが考えられる。しかし、結束したい木の枝の付近に脚立で上がることは煩わしい。例えば、梨の栽培を行う梨園では、果樹棚が園内の全域に渡って形成されているので、梨の木の枝を支柱等に結束したい場合、脚立を上り下りする作業の負担が極めて大きい。
【０００５】
そこで、上述したような園芸用の結束機を高枝用に適したものとするべく、例えば、結束機を長尺のポールの先端側に固定し、操作用のハンドルをワイヤー等で遠隔操作することが考えられる。しかしながら、ステープルにテープを繰り出す機能が付加された上述の結束機においては、ステープルのドライバハンドルとクリンチャアームとの間にテープを架け渡す機構の都合上、ドライバハンドルとクリンチャアームとを閉じ合わせる動作に必要なハンドルの操作量が大きい。一方、ステープルは、ドライバハンドルとクリンチャアームとを閉じ合わせた状態でステープルの針の先端をクリンチャで折り返す機構なので、針の先端をクリンチャで折り返せるだけの力をハンドルへ加える必要がある。ステープルにテープを繰り出す機能が付加された結束機の場合、このように、ハンドルの操作量やハンドルへ加えるべき力の大きさの加減が難しいため、このような結束機を長尺のポールの先端側に固定し、操作用のハンドルをワイヤー等で遠隔操作しようとしても、高枝にテープを掛け回してステープルで綴じ合わせることが難しい。
【０００６】
そこで、本発明は、ステープルにテープを繰り出す機能が付加された結束機本体の操作部を遠隔で操作可能にすることを解決課題とする。
【課題を解決するための手段】
【０００７】
上記課題を解決するため、本発明では、ステープルにテープを繰り出す機能が付加された結束機本体をポールの先端側に固定すると共に、高枝の周囲に掛け回されて重なり合ったテープの重なり部分をドライバハンドルのステープルマガジンとクリンチャアームのクリンチャとで挟持する第１の動作を行うための第１の把手と、当該重なり部分をステープルで綴じる第２の動作を行うための第２の把手とを設け、各把手を当該結束機本体の操作部に各々連結することにした。
【０００８】
詳細には、本発明は、ステープラのドライバハンドルとクリンチャアームとの間に架け
渡したテープを高枝の周囲に掛け回した状態で前記ステープラの操作部を一方向に動かすと、前記ドライバハンドルと前記クリンチャアームとを閉じ合わせることにより、前記高枝の周囲に掛け回されて重なり合ったテープの重なり部分を前記ドライバハンドルのステープルマガジンと前記クリンチャアームのクリンチャとで挟持する第１の動作と、前記重なり部分をステープルで綴じる第２の動作とを、前記操作部の動きに連動して連続的に行う園芸用の結束機本体と、細長い棒状の部材であり、一端に前記結束機本体を固定したポールと、前記ポールの両端のうち前記結束機本体が固定されている側の反対側に設けられており、作業者が両手のうち何れか一方の手で把持して前記ポールを支えるための第１支持部と、前記第１支持部から所定の間隔を空けて前記ポールに設けられており、前記作業者が前記両手のうち前記第１支持部を把持する手とは異なる他方の手で把持して前記ポールを支えるための第２支持部と、を備え、前記第１支持部は、前記操作部に連結される操作用の把手であって、前記操作部の可動領域のうち少なくとも前記第１の動作が行われる可動領域における前記操作部の操作を司る第１の把手を有し、前記第２支持部は、前記操作部に連結される操作用の把手であって、前記操作部の可動領域のうち少なくとも前記第２の動作が行われる可動領域における前記操作部の操作を司る第２の把手を有する、高枝用結束機である。
【０００９】
ステープルのドライバハンドルとクリンチャアームとの間にテープを架け渡す機構の結束機本体は、ドライバハンドルとクリンチャアームとを閉じ合わせる動作に必要な操作部の操作量が大きい。一方、ステープルは、ドライバハンドルとクリンチャアームとを閉じ合わせた状態でステープルの針の先端をクリンチャで折り返す機構なので、針の先端をクリンチャで折り返す力を操作部へ加える必要がある。ステープルにテープを繰り出す機能が付加されているこのような結束機本体においては、操作部の操作量や操作部へ加えるべき力の大きさの加減が複雑なため、この結束機本体の操作部を単に一つのワイヤー等で遠隔操作することは容易でない。
【００１０】
この点、上記高枝結束機は、ステープルにテープを繰り出す機能が付加された結束機本体をポールの先端側に固定しており、当該結束機本体には、操作部を一方向に動かすと、ドライバハンドルとクリンチャアームとを閉じ合わせる第１の動作と、テープの重なり部分をステープルで綴じる第２の動作とを、操作部の動きに連動して連続的に行う機構を採用しているものの、操作部に連結される２つの把手のうちの第１の把手が当該第１の動作のための操作を司り、第２の把手が当該第２の動作のための操作を司るようにしている。よって、第１の把手と第２の把手とを左右各々の手で把持することにより、ポールを両手で安定的に支持したまま、第１の把手と第２の把手を操作し、高枝を結束可能である。
【００１１】
なお、前記第１支持部は、前記第１の把手の隣に配置されており、前記ポールに固定される固定把手を有していてもよい。固定把手が第１の把手の隣に配置されていると、第１の把手を操作しやすく、また、固定把手でポールを支持できるのでポールおよび結束機本体の姿勢を安定させやすい。
【００１２】
また、前記操作部は、レバーであり、前記第２の把手は、前記レバーの先端側に連結されており、前記第１の把手は、前記レバーの支点側に連結されていてもよい。このように構成される高枝結束機であれば、動作量の大きい第１の動作に関わる第１の把手の操作量をてこの原理で比較的小さくすることができ、また、力の要求量が比較的大きい第２の動作に関わる第２の把手に加えるべき力を小さくすることができるので、操作が容易である。
【００１３】
また、前記第１の把手は、棒状のロッドおよびワイヤーのうち少なくとも何れかを介して前記操作部に連結されていてもよい。また、前記第２の把手は、棒状のロッドおよびワイヤーのうち少なくとも何れかを介して前記操作部に連結されていてもよい。このように
構成される高枝結束機であれば、第１の把手や第２の把手に対して行われる操作が、ロッドあるいはワイヤーを介して結束機本体に伝わるので操作がしやすい。
【００１４】
また、前記第２の把手は、支点と力点との間の距離が前記第１の把手の支点と力点との間の距離よりも長くてもよい。このように構成される高枝結束機であれば、動作量の大きい第１の動作に関わる第１の把手の操作量をてこの原理で比較的小さくすることができ、また、力の要求量が比較的大きい第２の動作に関わる第２の把手に加えるべき力を小さくすることができるので、操作が容易になる。
【００１５】
また、本発明は、結束機の補助具としての側面から捉えることもできる。例えば、本発明は、ステープラのドライバハンドルとクリンチャアームとの間に架け渡したテープを高枝の周囲に掛け回した状態で前記ステープラの操作部を一方向に動かすと、前記ドライバハンドルと前記クリンチャアームとを閉じ合わせることにより、前記高枝の周囲に掛け回されて重なり合ったテープの重なり部分を前記ドライバハンドルのステープルマガジンと前記クリンチャアームのクリンチャとで挟持する第１の動作と、前記重なり部分をステープルで綴じる第２の動作とを、前記操作部の動きに連動して連続的に行う園芸用の結束機の補助具であって、細長い棒状の部材であり、一端に前記結束機が固定されるポールと、前記ポールの両端のうち前記結束機が固定される側の反対側に設けられており、作業者が両手のうち何れか一方の手で把持して前記ポールを支えるための第１支持部と、前記第１支持部から所定の間隔を空けて前記ポールに設けられており、前記作業者が前記両手のうち前記第１支持部を把持する手とは異なる他方の手で把持して前記ポールを支えるための第２支持部と、を備え、前記第１支持部は、前記操作部に連結される操作用の把手であって、前記操作部の可動領域のうち少なくとも前記第１の動作が行われる可動領域における前記操作部の操作を司る第１の把手を有し、前記第２支持部は、前記操作部に連結される操作用の把手であって、前記操作部の可動領域のうち少なくとも前記第２の動作が行われる可動領域における前記操作部の操作を司る第２の把手を有するものであってもよい。
【発明の効果】
【００１６】
本発明によれば、ステープルにテープを繰り出す機能が付加された結束機本体の操作部を遠隔で操作することが可能である。
【図面の簡単な説明】
【００１７】
【図１】図１は、実施形態に係る高枝用結束機の一例を示した図である。
【図２】図２は、高枝用結束機の可動部分に関わる要部を拡大した図である。
【図３】図３は、第１可動把手を操作した場合の結束機本体の動作を示した図である。
【図４】図４は、第２可動把手を操作した場合の結束機本体の動作を示した図である。
【図５】図５は、実施形態に係る高枝用結束機の使用方法を示した第１の図である。
【図６】図６は、実施形態に係る高枝用結束機の使用方法を示した第２の図である。
【図７】図７は、梨園の果樹棚や作業者の位置関係を表した図である。
【発明を実施するための形態】
【００１８】
以下、本発明の実施の形態について説明する。なお、以下に説明する実施の形態は例示であり、本発明を以下に説明する具体的構成に限定するものではない。実施にあたっては、実施の形態に応じた具体的構成を適宜採用することができる。
【００１９】
図１は、実施形態に係る高枝用結束機の一例を示した図である。本実施形態に係る高枝用結束機１は、例えば、図１に示されるように、園芸用の結束機本体２、ポール３、第１支持部４、第２支持部５を備える。
【００２０】
園芸用の結束機本体２は、ステープルにテープを繰り出す機能を付加したものであり、ステープラとしての機能を司るドライバハンドル６やクリンチャアーム７、ドライバハンドル６とクリンチャアーム７との間に繰り出すテープを格納したテープマガジン８を備えている。
【００２１】
テープマガジン８に装填した園芸用のテープ９は、ドライバハンドル６に装着されているテープガイド１０の中を通してテープガイド１０の先端から引き出され、ドライバハンドル６の先端の垂直テープガイド１１へ通されてドライバハンドル６の先端から垂れ下がる。ドライバハンドル６とクリンチャアーム７とステープルマガジン１２は軸１３にて連結されており、通常のステープラと同様にドライバハンドル６に対してクリンチャアーム７およびステープルマガジン１２が所定の角度の範囲で回転が可能になっている。
【００２２】
なお、ドライバハンドル６の先端にはノッチ刃形状のカッター刃１４が取付けられており、カッター刃１４の隣にはステープルを射出するための板状ドライバ１５が取付けられている。また、クリンチャアーム７の先端にはテープ９が押圧されると係合し、テープ９を保持するテープ押さえ１６が設けられている。
【００２３】
結束機本体２は、ドライバハンドル６とクリンチャアーム７との間に架け渡したテープ９を高枝の周囲に掛け回した状態でステープラの操作部であるハンドル１７を一方向に動かすと、ドライバハンドル６とクリンチャアーム７とを閉じ合わせることにより、高枝の周囲に掛け回されて重なり合ったテープの重なり部分をドライバハンドル６のステープルマガジン１２とクリンチャアーム７のクリンチャとで挟持する第１の動作と、テープの重なり部分をステープルで綴じる第２の動作とを、ハンドル１７の動きに連動して連続的に行う園芸用の結束機であり、例えば、マックス株式会社のテープナー（登録商標）や、その他の様々な園芸用の結束機を適用することができる。
【００２４】
ポール３は、細長い棒状の部材であり、一端に取り付けられた支持板１８に結束機本体２が固定されている。ポール３は、中空の部材で形成されており、内部に棒状のロッド１９が挿通されている。なお、図１ではポール３が円筒状に図示されているが、ポール３は、円筒状のものに限定されるものではない。ポール３は、例えば、断面形状が多角形であってもよいし、楕円形であってもよいし、その他各種の断面形状を有していてもよい。また、ポール３は、中空の部材で形成されるものに限定されるものではない。ポール３が中空でない部材の場合、ロッド１９に代えてワイヤーがポールの周囲に配されることになる。
【００２５】
第１支持部４は、ポール３の両端のうち結束機本体２が固定されている側の反対側に設けられており、作業者が両手のうち何れか一方の手で把持してポール３を支えるために把持される。第１支持部４は、結束機本体２の操作部であるハンドル１７に、ロッド１９およびロッド１９に繋がる第１ワイヤー２０を介して連結される操作用の第１可動把手２１を有する。また、第１支持部４は、第１可動把手２１の隣に配置されており、ポール３に固定される固定把手２２を有する。なお、第１可動把手２１は、ロッド１９および第１ワイヤー２０を介してハンドル１７に連結されているが、本願で開示する高枝用結束機１はこのような形態に限定されるものではない。第１可動把手２１は、例えば、ワイヤーのみを介してハンドル１７に連結されていてもよいし、ロッドのみを介してハンドル１７に連結されていてもよい。
【００２６】
第２支持部５は、第１支持部４から所定の間隔を空けてポール３に設けられており、作業者が両手のうち第１支持部４を把持する手とは異なる他方の手で把持してポール３を支えるために把持される。ここで、所定の間隔とは、第１支持部４と第２支持部５とを掴ん
だ作業車が高枝用結束機１を支えることができる程度の間隔であり、例えば、結束機本体２やポール３の重量等によって適宜に決定される間隔である。
【００２７】
第２支持部５は、結束機本体２のハンドル１７に、第２ワイヤー２３を介して連結される操作用の第２可動把手２４を有する。第２支持部５の第２可動把手２４は、第１支持部４の第１可動把手２１よりも小さい。よって、第２可動把手２４の支点と力点との間の距離は、第１可動把手２１の支点と力点との間の距離よりも長くなっている。
【００２８】
なお、第２可動把手２４は、第２ワイヤー２３を介してハンドル１７に連結されているが、本願で開示する高枝用結束機１はこのような形態に限定されるものではない。第２可動把手２４は、例えば、ロッドとワイヤーを介してハンドル１７に連結されていてもよいし、ロッドのみを介してハンドル１７に連結されていてもよい。
【００２９】
図２は、高枝用結束機１の可動部分に関わる要部を拡大した図である。高枝用結束機１の第２可動把手２４は、図２に示されるように、レバー状のハンドル１７の力点である先端側に第２ワイヤー２３を介して連結されている。また、高枝用結束機１の第１可動把手２１は、図２に示されるように、レバー状のハンドル１７の支点となる軸２５の側にロッド１９及び第１ワイヤー２０を介して連結されている。高枝用結束機１は、結束機本体２のハンドル１７がこのようにして第１可動把手２１および第２可動把手２４に連結されているため、第１可動把手２１および第２可動把手２４を操作すると、結束機本体２が以下のように動作する。
【００３０】
図３は、第１可動把手２１を操作した場合の結束機本体２の動作を示した図である。第１可動把手２１は、上述したように、第２可動把手２４よりも軸２５の側でハンドル１７に連結されている。よって、第１可動把手２１は、第２可動把手２４よりも少ない操作量で結束機本体２のハンドル１７を大きく動かすことができる。しかし、第１可動把手２１は、第２可動把手２４よりも軸２５の側でハンドル１７に連結されているため、第１可動把手２１を操作した場合にハンドル１７の作用点に加えることができる力が第２可動把手２４より弱い。よって、第１可動把手２１を操作すると、ドライバハンドル６とクリンチャアーム７とを閉じる程度のことは可能であるが、ステープルマガジン１２からステープルを射出し、ステープルの針をクリンチャアーム７の先端のクリンチャで折り返すことは難しい。そこで、第１可動把手２１を操作した後は、第２可動把手２４を操作する。
【００３１】
図４は、第２可動把手２４を操作した場合の結束機本体２の動作を示した図である。第２可動把手２４は、上述したように、第１可動把手２１よりもハンドル１７の先端側に連結されている。よって、第２可動把手２４は、第１可動把手２１より大きい操作量を与えないと結束機本体２のハンドル１７を動かすことはできない反面、第２可動把手２４を操作した場合にハンドル１７の作用点に加えることができる力が第１可動把手２１より強い。よって、第２可動把手２４を操作すると、ドライバハンドル６とクリンチャアーム７とを閉じる程度の操作量を与えるには第２可動把手２４を大きく動かす必要があり操作が煩わしいが、第１可動把手２１を操作してドライバハンドル６とクリンチャアーム７とを閉じ、その状態で第２可動把手２４を操作すると、ステープルマガジン１２からステープルを射出し、ステープルの針をクリンチャアーム７の先端のクリンチャで折り返すことが容易である。
【００３２】
本実施形態に係る高枝用結束機１は、上述のように、結束機本体２の操作部であるハンドル１７の可動領域のうち、ドライバハンドル６とクリンチャアーム７とを閉じ合わせる動作が行われる可動領域におけるハンドル１７の操作については第１可動把手２１が司り、ステープルマガジン１２からステープルを射出してクリンチャで折り返す動作が行われる可動領域におけるハンドル１７の操作については第２可動把手２４が司ることにより、
結束機本体２のハンドル１７の遠隔操作を容易にしている。
【００３３】
以下、本実施形態に係る高枝用結束機１の使用方法について説明する。図５は、実施形態に係る高枝用結束機の使用方法を示した第１の図である。また、図６は、実施形態に係る高枝用結束機の使用方法を示した第２の図である。
【００３４】
高枝用結束機１を使用する場合、ドライバハンドル６の先端からテープ９をやや繰り出した状態にしておく（図５（Ａ））。そして、この状態で第１可動把手２１を操作すると、ドライバハンドル６とクリンチャアーム７との間が閉じ始める（図５（Ｂ））。第１可動把手２１を更に操作し、第１可動把手２１を固定把手２２に握り寄せると、ドライバハンドル６とクリンチャアーム７とが閉じ合わさる（図５（Ｃ））。ドライバハンドル６とクリンチャアーム７とが閉じ合わさると、ドライバハンドル６の先端から繰り出しておいたテープ９がクリンチャアーム７の先端のテープ押さえ１６に係合するため、第１可動把手２１から手を離すと、クリンチャアーム７の先端のテープ押さえ１６にテープ９が係合したまま、クリンチャアーム７とドライバハンドル６との間が開き、ドライバハンドル６とクリンチャアーム７との間にテープ９が架け渡された状態になる（図５（Ｄ））。第１支持部４と第２支持部５を掴んでポール３を支えながら結束機本体２を動かし、結束対象の高枝に結束機本体２を近づける（図５（Ｅ））。そして、ドライバハンドル６とクリンチャアーム７との間に架け渡したテープ９を高枝１０１の周囲に支柱１０２と共に掛け回す（図６（Ｆ））。テープ９を高枝１０１の周囲に支柱１０２と共に掛け回した状態で第１可動把手２１を再び操作すると、ドライバハンドル６とクリンチャアーム７との間が閉じ始める（図６（Ｇ））。次に、第１可動把手２１を固定把手２２に握り寄せてドライバハンドル６とクリンチャアーム７とを閉じ合わせた状態のままで、第２可動把手２４を操作する。ドライバハンドル６とクリンチャアーム７とを閉じ合わせた状態で第２可動把手２４を操作すると、ステープルマガジン１２からステープルが射出され、ステープルの針がクリンチャアーム７の先端のクリンチャで折り返されると共に、テープ９がカッター刃１４によって切断される（図６（Ｈ））。固定把手２２に握り寄せていた第１可動把手２１を開放し、ドライバハンドル６とクリンチャアーム７とが閉じ合わさるように操作していた第２可動把手２４の位置を元に戻すと、ドライバハンドル６とクリンチャアーム７との間が開く（図６（Ｉ））。ドライバハンドル６とクリンチャアーム７との間を開き、高枝１０１に支柱１０２と共に取り回されて重なり合ったテープ９がステープルで綴じられて、高枝１０１が支柱１０２にテープ９で結束された状態を確認した後は、結束機本体２を高枝１０１から引き離し、高枝１０１の結束が完了する（図６（Ｊ））。
【００３５】
図７は、梨園の果樹棚や作業者の位置関係を表した図である。例えば、梨園においては、梨の木１０３が形成する果樹棚１０４から更に上へ伸びる高枝１０１が風雨に晒されると太くなり、高枝１０１の生育に消費される養分が増えて果実の生育に影響が及ぶ。そこで、梨園では、果樹棚１０４から更に上へ伸びる高枝１０１を支柱１０２に固定する作業が行われる。果樹棚１０４から更に上へ伸びる高枝１０１を支柱１０２に固定しておくと、高枝１０１が風雨に晒されても太くなりにくいので、果実の生育が良くなる。
【００３６】
高所にある木の枝を支柱や棚に結束したい場合、通常、作業者が脚立で高所に上がって作業を行う必要がある。しかし、結束したい木の枝の付近に脚立で上がることは煩わしい。例えば、梨園では、果樹棚１０４が園内の全域に渡って形成されているので、梨の木１０３の高枝１０１を支柱１０２等に結束したい場合、脚立を上り下りする作業の負担が極めて大きい。この点、上記実施形態に係る高枝用結束機１であれば、作業者が脚立で高所に上がらなくても高所にある木の枝を支柱や棚に結束できる。
【００３７】
また、上記の結束機本体２は、ステープルのドライバハンドル６とクリンチャアーム７との間にテープ９を架け渡す機構の都合上、ドライバハンドル６とクリンチャアーム７と
を閉じ合わせる動作に必要なハンドル１７の操作量が大きい。一方、ステープルは、ドライバハンドル６とクリンチャアーム７とを閉じ合わせた状態でステープルの針の先端をクリンチャで折り返す機構なので、針の先端をクリンチャで折り返す力をハンドル１７へ加える必要がある。ステープルにテープ９を繰り出す機能が付加されている結束機本体２の場合、このように、ハンドル１７の操作量やハンドル１７へ加えるべき力の大きさの加減が難しいため、この結束機本体２のハンドル１７を単に一つのワイヤー等で遠隔操作しようとしても操作が容易でない。この点、上記実施形態で採用している結束機本体２は、ハンドル１７を一方向に動かすと、ドライバハンドル６とクリンチャアーム７とを閉じ合わせる第１の動作と、テープ９の重なり部分をステープルで綴じる第２の動作とを、ハンドル１７の動きに連動して連続的に行う機構を採用しているものの、ハンドル１７に連結される２つの把手のうちの第１可動把手２１が当該第１の動作のための操作を司り、第２可動把手２４が当該第２の動作のための操作を司るようにしている。よって、第１可動把手２１と第２可動把手２４とを左右各々の手で把持することにより、ポール３を両手で安定的に支持したまま、第１可動把手２１と第２可動把手２４を操作し、高枝１０１を容易に結束可能である。
【００３８】
なお、上記実施形態に係る高枝用結束機１は、結束機本体２がポール３に固定されていたが、結束機本体２は、ポール３に着脱自在であってもよい。この場合、結束機本体２以外の構成要素であるポール３や第１支持部４、第２支持部５は、結束機本体２の補助具を構成することになる。結束機本体２をポール３に着脱自在に固定する場合、結束機本体２は、例えば、支持板１８に蝶ボルト等の着脱容易な部材で固定してもよいし、支持板１８から突出する爪状の部材で結束機本体２を拘束するようにしてもよいし、その他の各種固定手段を採用してもよい。また、結束機本体２をポール３に着脱自在に固定する場合、結束機本体２のハンドル１７に連結される第１ワイヤー２０および第２ワイヤー２３は、ハンドル１７に着脱容易な機構を採用することが好ましい。
【符号の説明】
【００３９】
１・・高枝用結束機：２・・結束機本体：３・・ポール：４・・第１支持部：５・・第２支持部：６・・ドライバハンドル：７・・クリンチャアーム：８・・テープマガジン：９・・テープ：１０・・テープガイド：１１・・垂直テープガイド：１２・・ステープルマガジン：１３，２５・・軸：１４・・カッター刃：１５・・板状ドライバ：１６・・テープ押さえ：１７・・ハンドル：１８・・支持板：１９・・ロッド：２０・・第１ワイヤー：２１・・第１可動把手：２２・・固定把手：２３・・第２ワイヤー：２４・・第２可動把手：１０１・・高枝：１０２・・支柱：１０３・・木：１０４・・果樹棚
【図１】
2016124593.tif 000003
【図２】
2016124593.tif 000004
【図３】
2016124593.tif 000005
【図４】
2016124593.tif 000006
【図５】
2016124593.tif 000007
【図６】
2016124593.tif 000008
【図７】
2016124593.tif 000009